(57)【要約】【課題】サーバによって処理される情報の量を低減することができる情報処理装置を提供する。【解決手段】情報処理装置は、選択部を具備する。選択部は、サーバによって制御されることが可能な被制御機器の動作状態に関する情報および被制御機器によって消費される電力量に関する情報の少なくとも一方の情報であって、サーバに収集される情報を選択する。【選択図】図１
2019062616.tif 000002
【特許請求の範囲】
【請求項１】
サーバによって制御されることが可能な被制御機器の動作状態に関する情報および前記被制御機器によって消費される電力量に関する情報の少なくとも一方の情報であって、前記サーバに収集される情報を選択する選択部；
を具備することを特徴とする情報処理装置。
【請求項２】
前記被制御機器の動作状態に関する情報および前記被制御機器によって消費される電力量に関する情報の少なくとも一方を取得する取得部；
をさらに具備し、
前記選択部は、前記取得部によって取得された情報から前記サーバに収集される情報を選択する
ことを特徴とする請求項１に記載の情報処理装置。
【請求項３】
前記被制御機器の動作状態に関する情報および前記被制御機器によって消費される電力量に関する情報の少なくとも一方の情報であって、前記選択部によって選択された情報を取得する取得部；
をさらに具備する
ことを特徴とする請求項１に記載の情報処理装置。
【請求項４】
前記選択部によって選択された情報を前記サーバへ送信する送信部；
をさらに具備することを特徴とする請求項２または３に記載の情報処理装置。
【請求項５】
前記送信部は、前記被制御機器に対する電力供給の状況に基づいて、前記選択部によって選択された情報を前記サーバへ送信する時間間隔を調整する
ことを特徴とする請求項４に記載の情報処理装置。
【請求項６】
前記選択部は、前記被制御機器がデマンドレスポンスに参加する需要家によって利用されるものであるか否かに基づいて、前記サーバに収集される情報を選択する
ことを特徴とする請求項２〜５のいずれか一項に記載の情報処理装置。
【請求項７】
前記選択部は、
前記被制御機器がデマンドレスポンス制御に参加する需要家に利用されるものである場合に、前記被制御機器の動作状態に関する情報および前記被制御機器によって消費される電力量に関する情報の両方を選択し、
前記被制御機器がデマンドレスポンス制御に参加していない需要家に利用されるものである場合に、前記被制御機器によって消費される電力量に関する情報を選択する
ことを特徴とする請求項６に記載の情報処理装置。
【請求項８】
前記選択部は、前記被制御機器に対する電力供給の状況に基づいて、前記サーバに収集される情報を選択する
ことを特徴とする請求項２〜７のいずれか一項に記載の情報処理装置。
【請求項９】
前記取得部は、少なくとも前記被制御機器の動作状態に関する情報として第１の蓄電池の動作状態に関する情報および前記第１の蓄電池の電池残量よりも少ない電池残量の第２の蓄電池の動作状態に関する情報を取得し、
前記選択部は、
前記被制御機器に対する電力供給の状況を示す電気使用率が第１の閾値を超える場合に、前記第１の蓄電池の動作状態に関する情報を選択する
ことを特徴とする請求項８に記載の情報処理装置。
【請求項１０】
前記取得部は、少なくとも前記被制御機器の動作状態に関する情報として第１の蓄電池の動作状態に関する情報および前記第１の蓄電池の電池残量よりも少ない電池残量の第２の蓄電池の動作状態に関する情報を取得し、
前記選択部は、
前記被制御機器に対する電力供給の状況を示す電気使用率が第２の閾値未満である場合に、前記第２の蓄電池の動作状態に関する情報を選択する
ことを特徴とする請求項８または９に記載の情報処理装置。
【請求項１１】
前記取得部は、前記被制御機器に対する電力供給の状況に基づいて、前記取得部が情報を取得する時間間隔を調整する
ことを特徴とする請求項２〜１０のいずれか一項に記載の情報処理装置。
【請求項１２】
前記取得部は、前記被制御機器に対する電力供給が第１の時間帯になされる場合に、前記取得部が情報を取得する時間間隔を減少させる
ことを特徴とする請求項１１に記載の情報処理装置。
【請求項１３】
前記取得部は、前記被制御機器に対する電力供給が第２の時間帯になされる場合に、前記取得部が情報を取得する時間間隔を増加させる
ことを特徴とする請求項１１または１２に記載の情報処理装置。
【請求項１４】
前記取得部は、少なくとも前記被制御機器の最大消費電力を取得し、
前記選択部は、前記被制御機器の最大消費電力に基づいて、前記サーバに収集される情報を選択する
ことを特徴とする請求項２〜１３のいずれか一項に記載の情報処理装置。
【請求項１５】
前記選択部は、前記被制御機器の最大消費電力が第３の閾値を超える場合に、前記サーバに収集される情報を選択する
ことを特徴とする請求項１４に記載の情報処理装置。
【請求項１６】
前記選択部は、前記サーバに応じて、前記サーバに収集される情報を選択する
ことを特徴とする請求項２〜１５のいずれか一項に記載の情報処理装置。
【請求項１７】
前記選択部は、前記サーバによって制御される前記被制御機器の種類に応じて、前記サーバに収集される情報を選択する
ことを特徴とする請求項１６に記載の情報処理装置。
【発明の詳細な説明】
【技術分野】
【０００１】
本発明の実施形態は、情報処理装置に関する。
【背景技術】
【０００２】
従来、スマートメータまたはホーム・エネルギー・マネジメント・システム（ＨＥＭＳ）等の通信制御機能を付加した電力網であるスマートグリッドと呼ばれる技術が知られている。スマートグリッドにおいては電力会社などの電力供給者が電力需要者に対して電力消費量の抑制を促すデマンドレスポンスと呼ばれる仕組みが定義されている。
【０００３】
デマンドレスポンスにおいては、消費電力量および削減可能な電力量を把握することによって、電力需給が適切に調整される。よって、デマンドレスポンスにおいては各需要家に設けられた機器の状態に関する情報が取得されることになる。
【０００４】
しかしながら、各需要家に設けられた機器の状態に関する情報を取得する場合には、機器の状態に関する情報を処理するサーバによって処理される情報の量が増加するという課題がある。例えば、各需要家に設けられた機器の状態に関する情報を処理するサーバの負荷が増加する。例えば、各需要家に設けられた機器と機器の状態に関する情報を処理するサーバとの間で情報の通信がなされる場合には、機器とサーバとの間の機器に関する情報の通信量が増加する。
【先行技術文献】
【特許文献】
【０００５】
【特許文献１】特開２０１２−１９１７０７号公報
【発明の概要】
【発明が解決しようとする課題】
【０００６】
本発明が解決しようとする課題は、サーバによって処理される情報の量を低減することができる情報処理装置を提供することである。
【課題を解決するための手段】
【０００７】
実施形態に係る情報処理装置は、選択部を具備する。選択部は、サーバによって制御されることが可能な被制御機器の動作状態に関する情報および前記被制御機器によって消費される電力量に関する情報の少なくとも一方の情報であって、前記サーバに収集される情報を選択する。
【発明の効果】
【０００８】
実施形態によれば、サーバによって処理される情報の量を低減することができる。
【図面の簡単な説明】
【０００９】
【図１】図１は、実施形態に係る情報処理システムの構成例を示す図である。
【図２】図２は、実施形態に係る情報処理装置としてのログ収集装置の構成例を示すブロック図である。
【図３】図３は、実施形態に係る情報処理方法の手順の第１の例を示すフローチャートである。
【図４Ａ】図４Ａは、実施形態に係る情報処理方法の手順の第２の例を示すフローチャートである。
【図４Ｂ】図４Ｂは、実施形態に係る情報処理方法の手順の第３の例を示すフローチャートである。
【図５Ａ】図５Ａは、実施形態に係る情報処理方法の手順の第４の例を示すフローチャートである。
【図５Ｂ】図５Ｂは、実施形態に係る情報処理方法の手順の第５の例を示すフローチャートである。
【図６Ａ】図６Ａは、実施形態に係る情報処理方法の手順の第６の例を示すフローチャートである。
【図６Ｂ】図６Ｂは、実施形態に係る情報処理方法の手順の第７の例を示すフローチャートである。
【図７】図７は、実施形態に係る情報処理方法の手順の第８の例を示すフローチャートである。
【図８】図８は、実施形態に係る情報処理装置の機能を実現するコンピュータの一例を示すハードウェア構成図である。
【発明を実施するための形態】
【００１０】
以下で説明する実施形態に係る情報処理装置１００は、選択部１２２を具備する。選択部１２２は、サーバ１０によって制御されることが可能な被制御機器２０の動作状態に関する情報および被制御機器２０によって消費される電力量に関する情報の少なくとも一方の情報であって、サーバ１０に収集される情報を選択する。
【００１１】
また、以下で説明する実施形態に係る情報処理装置１００は、被制御機器２０の動作状態に関する情報および被制御機器２０によって消費される電力量に関する情報の少なくとも一方を取得する取得部１２１をさらに具備し、選択部１２２は、取得部１２１によって取得された情報からサーバ１０に収集される情報を選択する。
【００１２】
また、以下で説明する実施形態に係る情報処理装置１００は、被制御機器２０の動作状態に関する情報および被制御機器２０によって消費される電力量に関する情報の少なくとも一方の情報であって、選択部１２２によって選択された情報を取得する取得部１２１をさらに具備する。
【００１３】
また、以下で説明する実施形態に係る情報処理装置１００は、選択部１２２によって選択された情報をサーバ１０へ送信する送信部１２３をさらに具備する。
【００１４】
また、以下で説明する実施形態に係る情報処理装置１００において、送信部１２３は、被制御機器２０に対する電力供給の状況に基づいて、選択部１２２によって選択された情報をサーバ１０へ送信する時間間隔を調整する。
【００１５】
また、以下で説明する実施形態に係る情報処理装置１００において、選択部１２２は、被制御機器２０がデマンドレスポンスに参加する需要家によって利用されるものであるか否かに基づいて、サーバ１０に収集される情報を選択する。
【００１６】
また、以下で説明する実施形態に係る情報処理装置１００において、選択部１２２は、被制御機器２０がデマンドレスポンス制御に参加する需要家に利用されるものである場合に、被制御機器２０の動作状態に関する情報および被制御機器２０によって消費される電力量に関する情報の両方を選択し、被制御機器２０がデマンドレスポンス制御に参加していない需要家に利用されるものである場合に、被制御機器２０によって消費される電力量に関する情報を選択する。
【００１７】
また、以下で説明する実施形態に係る情報処理装置１００において、選択部１２２は、被制御機器２０に対する電力供給の状況に基づいて、サーバ１０に収集される情報を選択する。
【００１８】
また、以下で説明する実施形態に係る情報処理装置１００において、取得部１２１は、少なくとも被制御機器２０の動作状態に関する情報として第１の蓄電池の動作状態に関する情報および第１の蓄電池の電池残量よりも少ない電池残量の第２の蓄電池の動作状態に関する情報を取得し、選択部１２２は、被制御機器２０に対する電力供給の状況を示す電気使用率が第１の閾値を超える場合に、第１の蓄電池の動作状態に関する情報を選択する。
【００１９】
また、以下で説明する実施形態に係る情報処理装置１００において、取得部１２１は、少なくとも被制御機器２０の動作状態に関する情報として第１の蓄電池の動作状態に関する情報および第１の蓄電池の電池残量よりも少ない電池残量の第２の蓄電池の動作状態に関する情報を取得し、選択部１２２は、被制御機器２０に対する電力供給の状況を示す電気使用率が第２の閾値未満である場合に、第２の蓄電池の動作状態に関する情報を選択する。
【００２０】
また、以下で説明する実施形態に係る情報処理装置１００において、取得部１２１は、被制御機器２０に対する電力供給の状況に基づいて、取得部１２１が情報を取得する時間間隔を調整する。
【００２１】
また、以下で説明する実施形態に係る情報処理装置１００において、取得部１２１は、被制御機器２０に対する電力供給が第１の時間帯になされる場合に、取得部１２１が情報を取得する時間間隔を減少させる。
【００２２】
また、以下で説明する実施形態に係る情報処理装置１００において、取得部１２１は、被制御機器２０に対する電力供給が第２の時間帯になされる場合に、取得部１２１が情報を取得する時間間隔を増加させる。
【００２３】
また、以下で説明する実施形態に係る情報処理装置１００において、取得部１２１は、少なくとも被制御機器２０の最大消費電力を取得し、選択部１２２は、被制御機器２０の最大消費電力に基づいて、サーバ１０に収集される情報を選択する。
【００２４】
また、以下で説明する実施形態に係る情報処理装置１００において、選択部１２２は、被制御機器２０の最大消費電力が第３の閾値を超える場合に、サーバ１０に収集される情報を選択する。
【００２５】
また、以下で説明する実施形態に係る情報処理装置１００において、選択部１２２は、サーバ１０に応じて、サーバ１０に収集される情報を選択する。
【００２６】
また、以下で説明する実施形態に係る情報処理装置１００において、選択部１２２は、サーバ１０によって制御される被制御機器２０の種類に応じて、サーバ１０に収集される情報を選択する。
【００２７】
以下、図面を参照して、実施形態に係る情報処理装置を説明する。実施形態において同一の部位には同一の符号を付し、重複する説明は省略される。
【００２８】
［情報処理システムの構成］
図１は、実施形態に係る情報処理システム１の構成例を示す図である。情報処理システム１は、例えば、通信制御機能を付加した電力網であるスマートグリッドを実現するためのシステムである。図１に示すように、情報処理システム１は、サーバ１０と、被制御機器２０と、計測機器３０と、実施形態に係る情報処理装置としてのログ収集装置１００とを含む。
【００２９】
サーバ１０、被制御機器２０、計測機器３０、およびログ収集装置１００は、図示しない有線または無線の通信ネットワーク、例えばインターネット、を介して互いに接続される。サーバ１０、被制御機器２０、計測機器３０、およびログ収集装置１００の間には、任意の通信中継装置またはプロトコル変換装置を設けてもよい。サーバ１０、被制御機器２０、計測機器３０、およびログ収集装置１００の間の通信プロトコルは、特に限定されるものではなく、例えば、ＥＣＨＯＮＥＴ、ＥＣＨＯＮＥＴ  Ｌｉｔｅ、ＵＰｎＰ、ＨＴＴＰなどを使用することができる。
【００３０】
サーバ１０は、通信ネットワークを介して、図示しない電力会社などの電力供給者および電力需要者（需要家）に設けられた被制御機器２０および計測機器３０と情報を通信するコンピュータである。サーバ１０は、例えば、電力供給者から消費電力量などに関する情報を受信すると共に受信した情報をログ収集装置１００へ送信する。サーバ１０は、例えば、計測機器３０から被制御機器２０によって消費される電力量を受信する。それによって、サーバ１０は、被制御機器２０によって消費される電力量を管理する。サーバ１０は、例えば、被制御機器２０によって消費される電力量を調整するように、被制御機器２０を制御することが可能な装置である。
【００３１】
被制御機器２０は、サーバ１０によって制御されることが可能な機器である。被制御機器２０は、需要家によって利用される機器である。被制御機器２０としては、例えば、エアコンまたは照明機器のような家電機器、家庭用蓄電池、または給湯器などが挙げられる。被制御機器２０は、被制御機器２０の電源のオン／オフの状態または被制御機器２０の動作モード（運転モード）のような被制御機器２０の動作状態に関する情報を有する。
【００３２】
計測機器３０は、被制御機器２０によって消費される電力量を計測する機器である。計測機器３０としては、例えば、スマートメータまたは電力センサなどが挙げられる。計測機器３０は、被制御機器２０によって消費される電力量に関する情報を有する。
【００３３】
ログ収集装置１００は、被制御機器２０および計測機器３０の少なくとも一方から取得される情報の中からサーバ１０に収集する情報を選択する装置である。ログ収集装置１００は、被制御機器２０の動作状態に関する情報および被制御機器２０によって消費される電力量に関する情報の少なくとも一方を取得する。ログ収集装置１００は、取得された情報からサーバ１０に収集される情報を選択する。ログ収集装置１００は、選択された情報をサーバ１０へ送信する。ログ収集装置１００としては、例えば、ホームネットワーク内に接続されたホームゲートウェイなどが挙げられる。ログ収集装置１００の構成例については後述する。
【００３４】
サーバ１０は、需要家の外部に設けられるが、被制御機器２０、計測機器３０、およびログ収集装置１００は、需要家に提供される。被制御機器２０、計測機器３０、およびログ収集装置１００は、例えば、需要家の宅内に設置される。
【００３５】
情報処理システム１において、まず、ログ収集装置１００は、被制御機器２０から被制御機器２０の動作状態に関する情報を取得すると共に、計測機器３０から被制御機器２０によって消費される電力量に関する情報を取得する（ステップＳ１）。
【００３６】
次に、ログ収集装置１００は、取得された情報からサーバ１０に収集される情報を選択する（ステップＳ２）。例えば、ログ収集装置１００は、被制御機器２０の動作状態に関する情報に基づいて、取得された情報からサーバ１０に収集される情報を選択する。
【００３７】
例えば、ログ収集装置１００は、被制御機器２０の電源のオン／オフの状態に関する情報に基づいて、取得された情報からサーバ１０に収集される情報を選択する。
【００３８】
例えば、被制御機器２０の電源がオンの状態である場合には、ログ収集装置１００は、取得された情報をサーバ１０に収集される情報として選択する。ここで、取得された情報は、被制御機器２０の電源のオンの状態の情報および被制御機器２０によって消費された電力量の情報によって構成される。取得された情報は、被制御機器２０の動作の履歴（ログ）情報を構成すると共に、サーバ１０に収集される情報としてログ収集装置１００に収集される。
【００３９】
例えば、被制御機器２０の電源がオフの状態である場合には、ログ収集装置１００は、取得された情報をサーバ１０に収集される情報として選択しない。ここで、取得された情報は、被制御機器２０の電源のオフの状態の情報および被制御機器２０によって消費された電力量の情報によって構成される。取得された情報は、被制御機器２０の動作の履歴（ログ）情報を構成するが、サーバ１０に収集される情報としてはログ収集装置１００に収集されない。
【００４０】
例えば、ログ収集装置１００は、被制御機器２０の運転モードに関する情報に基づいて、取得された情報からサーバ１０に収集される情報を選択する。
【００４１】
例えば、被制御機器２０の運転モードが通常運転モードである場合には、ログ収集装置１００は、取得された情報をサーバ１０に収集される情報として選択する。ここで、取得された情報は、被制御機器２０の通常運転モードの情報および被制御機器２０によって消費された電力量の情報によって構成される。取得された情報は、被制御機器２０の動作の履歴（ログ）情報を構成すると共に、サーバ１０に収集される情報としてログ収集装置１００に収集される。
【００４２】
例えば、被制御機器２０が省エネモードである場合には、ログ収集装置１００は、取得された情報をサーバ１０に収集される情報として選択しない。ここで、取得された情報は、被制御機器２０の省エネモードの情報および被制御機器２０によって消費された電力量の情報によって構成される。取得された情報は、被制御機器２０の動作の履歴（ログ）情報を構成するが、サーバ１０に収集される情報としてはログ収集装置１００に収集されない。
【００４３】
次に、ログ収集装置１００は、選択された情報をサーバ１０へ送信する(ステップＳ３)。次に、サーバ１０は、図示しない電力供給者から消費電力量の削減の要求を受信すると、サーバ１０は、ログ収集装置１００から送信された情報に基づいて、被制御機器２０によって消費される電力量を削減するように被制御機器２０を制御する（ステップＳ４）。
【００４４】
このように、ログ収集装置１００は、取得された情報からサーバ１０に収集される情報を選択するため、ログ収集装置１００は、サーバ１０に収集される情報の量を低減することができる。よって、ログ収集装置１００は、サーバ１０によって処理される情報の量を低減することができる。それに応じて、ログ収集装置１００は、サーバ１０によって制御されることが可能な被制御機器２０に関する情報を処理するサーバ１０の負荷を低減することができる。
【００４５】
また、ログ収集装置１００は、選択された情報をサーバ１０へ送信するため、ログ収集装置１００は、サーバ１０に送信される情報の量を低減することができる。よって、サーバ１０によって制御されることが可能な被制御機器２０とサーバ１０との間で情報の通信がなされる場合には、ログ収集装置１００は、被制御機器２０とサーバ１０との間の情報の通信量を低減することができる。
【００４６】
また、ログ収集装置１００は、少なくとも被制御機器２０の動作状態に関する情報を取得し、被制御機器２０の動作状態に関する情報に基づいて、取得された情報からサーバ１０に収集される情報を選択する。よって、ログ収集装置１００は、取得された情報からサーバ１０に収集される情報を選択するために、すでに取得された被制御機器２０の動作状態に関する情報を利用することができる。ログ収集装置１００は、取得された情報からサーバ１０に収集される情報を効率的に選択することができる。
【００４７】
［情報処理装置の構成］
図２は、実施形態に係る情報処理装置としてのログ収集装置１００の構成例を示すブロック図である。図２に示すように、ログ収集装置１００は、通信部１１０と、制御部１２０と、記憶部１３０とを含む。
【００４８】
通信部１１０は、図示しない有線または無線の通信ネットワークに接続される。通信部１１０は、サーバ１０とログ収集装置１００との間で情報の送受信を行う。また、通信部１１０は、被制御機器２０および計測機器３０の少なくとも一つとログ収集装置１００との間で情報の送受信を行う。通信部１１０は、例えば、ＮＩＣ（Network  Interface  Card）などによって実現される。
【００４９】
制御部１２０は、ログ収集装置１００の動作の全体を制御するコントローラ（controller）である。制御部１２０は、例えば、中央処理装置（Central  Processing  Unit；ＣＰＵ）またはマイクロプロセッサ（Micro  Processing  Unit；ＭＰＵ）等によって、ログ収集装置１００の内部の記憶装置に記憶されている各種のプログラムがＲＡＭを作業領域として実行されることによって実現される。また、制御部１２０は、例えば、ＡＳＩＣ（Application  Specific  Integrated  Circuit）またはＦＰＧＡ（Field  Programmable  Gate  Array）などの集積回路によって実現される。
【００５０】
図２に示すように、制御部１２０は、取得部１２１と、選択部１２２と、送信部１２３とを含む。それによって、制御部１２０は、後述する情報処理方法の手順を実行する。
【００５１】
取得部１２１は、通信部１１０を介して、各種の情報を取得する。取得部１２１は、サーバ１０によって制御されることが可能な被制御機器２０から送信される情報および計測機器３０から送信される情報の少なくとも一方を取得する。取得部１２１は、被制御機器２０の動作状態に関する情報および被制御機器２０によって消費される電力量に関する情報の少なくとも一方を取得する。また、取得部１２１は、サーバ１０などから送信される情報を取得する。例えば、取得部１２１は、サーバ１０によって制御される被制御機器２０の種類のような、サーバ１０に関する情報を取得する。
【００５２】
また、取得部１２１は、通信部１１０を介して種々の機器から送信される情報を取得する。例えば、取得部１２１は、被制御機器２０がデマンドレスポンスに参加する需要家によって利用されるものであるか否かに関する情報を取得する。例えば、取得部１２１は、被制御機器２０に対する電力供給の状況を示す情報を取得する。例えば、被制御機器２０に対する電力供給の状況を示す情報が電気使用率である場合には、取得部１２１は、電気使用率に関する閾値の情報を取得する。例えば、取得部１２１は、被制御機器２０の種類に関する情報を取得する。例えば、被制御機器２０の種類が蓄電池である場合には、取得部１２１は、蓄電池の電池残量の値（および所定の電池残量）のような、蓄電池の電池残量に関する情報を取得する。例えば、被制御機器２０に対する電力供給の状況を示す情報が被制御機器２０に対する電力供給がなされる時間である場合には、取得部１２１は、被制御機器２０に対する電力供給がなされる時間帯に関する情報を取得する。例えば、取得部１２１は、被制御機器２０の最大消費電力に関する情報を取得する。例えば、取得部１２１は、被制御機器２０の最大消費電力の値および被制御機器２０の最大消費電力の値に関する閾値の情報を取得する。
【００５３】
取得部１２１は、取得部１２１によって取得された情報を記憶部１３０に記憶する。
【００５４】
選択部１２２は、記憶部１３０に記憶された情報であって、取得部１２１によって取得された情報を読み出す。次に、選択部１２２は、取得部１２１によって取得された情報からサーバ１０に収集される情報を選択する。例えば、選択部１２２は、取得部１２１によって取得された情報からサーバ１０に送信される情報を選択する。例えば、取得部１２１が、少なくとも被制御機器２０の動作状態に関する情報を取得する場合には、選択部１２２は、被制御機器２０の動作状態に関する情報に基づいて、取得部１２１によって取得された情報からサーバ１０に収集される情報を選択する。選択部１２２は、選択部１２２によって選択された情報を記憶部１３０に記憶する。
【００５５】
送信部１２３は、通信部１１０を介して、各種の情報をサーバ１０へ送信する。送信部１２３は、記憶部１３０に記憶された情報であって、選択部１２２によって選択された情報を読み出す。次に、送信部１２３は、選択部１２２によって選択された情報をサーバ１０へ送信する。
【００５６】
記憶部１３０は、各種の情報を記憶する。記憶部１３０は、取得部１２１によって取得された情報および選択部１２２によって選択された情報を記憶する。記憶部１３０は、例えば、ランダムアクセスメモリ（Random  Access  Memory；ＲＡＭ）またはフラッシュメモリ（Flash  Memory）のような半導体メモリ素子、または、ハードディスクまたは光ディスクのような記憶装置によって実現される。
【００５７】
（情報処理方法の手順の例）
次に、実施形態に係る情報処理装置としてのログ収集装置１００に含まれる制御部１２０によって実行される情報処理方法の手順の例を説明する。
【００５８】
（情報処理方法の手順の第１の例）
図３は、実施形態に係る情報処理方法の手順の第１の例を示すフローチャートである。図３に示す第１の例においては、制御部１２０は、被制御機器２０がデマンドレスポンスに参加する需要家によって利用されるものであるか否かに基づいて、サーバ１０に収集される情報を選択する。
【００５９】
図３に示すように、まず、取得部１２１は、サーバ１０によって制御されることが可能な被制御機器２０の動作状態に関する情報（被制御機器２０の情報）および被制御機器２０によって消費される電力量に関する情報（計測機器３０の情報）を取得する（ステップＳ１０１）。また、取得部１２１は、被制御機器２０を利用する需要家がデマンドレスポンスに参加しているか否かについての情報を取得する。
【００６０】
次に、選択部１２２は、需要家がデマンドレスポンスに参加しているか否かについて判定する（ステップＳ１０２）。すなわち、選択部１２２は、被制御機器２０がデマンドレスポンスに参加する需要家によって利用されるものであるか否かについて判定する。
【００６１】
ステップＳ１０２において、需要家がデマンドレスポンスに参加している（ステップＳ１０２，Ｙｅｓ）場合には、制御部１２０は、ステップＳ１０３に移行する。一方、ステップＳ１０２において、需要家がデマンドレスポンスに参加していない（ステップＳ１０２，Ｎｏ）場合には、制御部１２０は、ステップＳ１０４に移行する。
【００６２】
ステップＳ１０３において、選択部１２２は、取得部１２１によって取得された情報（被制御機器２０の情報および計測機器３０の情報）からサーバ１０に収集される情報として被制御機器２０の情報および計測機器３０の情報を選択する（ステップＳ１０３）。その後、制御部１２０は、ステップＳ１０５に移行する。
【００６３】
ステップＳ１０４において、選択部１２２は、取得部１２１によって取得された情報（被制御機器２０の情報および計測機器３０の情報）からサーバ１０に収集される情報として計測機器３０の情報を選択する（ステップＳ１０４）。
【００６４】
次に、送信部１２３は、選択部１２２によって選択された情報をサーバ１０へ送信する（ステップＳ１０５）。すなわち、需要家がデマンドレスポンスに参加している（ステップＳ１０２，Ｙｅｓ）場合には、送信部１２３は、被制御機器２０の情報および計測機器３０の情報をサーバ１０へ送信する。一方、需要家がデマンドレスポンスに参加していない（ステップＳ１０２，Ｎｏ）場合には、送信部１２３は、計測機器３０の情報をサーバ１０へ送信する。
【００６５】
このように、選択部１２２は、被制御機器２０がデマンドレスポンスに参加する需要家によって利用されるものであるか否かに基づいて、取得部１２１によって取得された情報からサーバ１０に収集される情報を選択する。
【００６６】
それによって、選択部１２２は、取得部１２１によって取得された情報から、被制御機器２０がデマンドレスポンスに参加する需要家によって利用されるものである場合に有益な情報を、サーバ１０に収集される情報として選択することができる。一方、選択部１２２は、取得部１２１によって取得された情報から、被制御機器２０がデマンドレスポンスに参加しない需要家によって利用されるものである場合に有益ではない情報を、サーバ１０に収集される情報から除去することができる。それに応じて、ログ収集装置１００は、サーバ１０に収集される情報の量を低減することができる。よって、ログ収集装置１００は、サーバ１０によって処理される情報の量を低減することができる。
【００６７】
具体的には、選択部１２２は、被制御機器２０がデマンドレスポンス制御に参加する需要家に利用されるものである場合に、取得部１２１によって取得された情報から被制御機器２０の動作状態に関する情報および被制御機器２０によって消費される電力量に関する情報の両方を選択する。一方、選択部１２２は、被制御機器２０がデマンドレスポンス制御に参加していない需要家に利用されるものである場合に、取得部１２１によって取得された情報から被制御機器２０によって消費される電力量に関する情報を選択する。
【００６８】
被制御機器２０がデマンドレスポンス制御に参加する需要家に利用されるものである場合には、（電力供給者と電力需要者との間のアグリゲータのような仲介事業者によって利用される）サーバ１０は、被制御機器２０を制御することが許容される。この場合には、被制御機器２０を制御するために、被制御機器２０によって消費される電力量に関する情報のみならず被制御機器２０の動作状態に関する情報が有益な情報である。
【００６９】
一方、被制御機器２０がデマンドレスポンス制御に参加していない需要家に利用されるものである場合には、サーバ１０は、被制御機器２０を制御することが許容されない。この場合には、被制御機器２０の動作状態に関する情報は有益な情報ではない。被制御機器２０によって消費される電力量に関する情報は、被制御機器２０がデマンドレスポンス制御に参加していない需要家に利用されるものである場合であっても、被制御機器２０を管理するために有益な情報である。
【００７０】
すなわち、選択部１２２は、被制御機器２０がデマンドレスポンスに参加する需要家によって利用されるものである場合に、被制御機器２０を制御するために有益な情報をサーバ１０に収集される情報として選択することができる。ここで、被制御機器２０を制御するために有益な情報は、被制御機器２０の動作状態に関する情報および被制御機器２０によって消費される電力量に関する情報である。
【００７１】
一方、選択部１２２は、被制御機器２０がデマンドレスポンス制御に参加していない需要家に利用されるものである場合に、有益ではない情報をサーバ１０に収集される情報から除去することができる。ここで、有益ではない情報は、被制御機器２０の動作状態に関する情報である。それに応じて、ログ収集装置１００は、サーバ１０に収集される情報の量を低減することができる。よって、ログ収集装置１００は、サーバ１０によって処理される情報の量を低減することができる。
【００７２】
（情報処理方法の手順の第２の例）
図４Ａは、実施形態に係る情報処理方法の手順の第２の例を示すフローチャートである。図４Ａに示す第２の例においては、制御部１２０が、被制御機器２０に対する電力供給の状況に基づいて、サーバ１０に収集される情報を選択する。被制御機器２０に対する電力供給の状況を示す情報として、例えば、電気使用率が挙げられる。ここで、電気使用率は、電気使用量（総需要）／電気使用可能量（総供給力）×１００（％）によって算出される値である。電気使用量は、需要家が存在する地域について算出される。図４Ａに示す第２の例においては、制御部１２０は、電気使用量が第１の閾値よりも高い場合に、電池残量の高い蓄電池の動作状態に関する情報を選択する。
【００７３】
図４Ａに示すように、まず、取得部１２１は、電気使用率、サーバ１０によって制御されることが可能な被制御機器２０の動作状態に関する情報（被制御機器２０の情報）および被制御機器２０によって消費される電力量に関する情報（計測機器３０の情報）を取得する（ステップＳ２０１）。また、取得部１２１は、被制御機器２０の種類に関する情報を取得する。被制御機器２０の種類が蓄電池である場合には、取得部１２１は、蓄電池の電池残量に関する情報を取得する。
【００７４】
次に、選択部１２２は、取得部１２１によって取得された電気使用率が第１の閾値を超えるものであるか否かについて判定する（ステップＳ２０２）。第１の閾値は、電気使用率についての予め定義された閾値であるが、特に限定されるものではない。第１の閾値は、例えば、９０％、８０％、または７０％であってもよい。
【００７５】
ステップＳ２０２において、電気使用率が第１の閾値を超えるものである（ステップＳ２０２，Ｙｅｓ）場合には、制御部１２０は、ステップＳ２０３に移行する。一方、電気使用率が第１の閾値以下である（ステップＳ２０２，Ｎｏ）場合には、制御部１２０は、情報処理を終了する。
【００７６】
ステップＳ２０３において、選択部１２２は、被制御機器２０が蓄電池を含むか否かについてさらに判定する（ステップＳ２０３）。
【００７７】
ステップＳ２０３において、被制御機器２０が蓄電池を含む（ステップＳ２０３，Ｙｅｓ）場合には、制御部１２０は、ステップＳ２０４に移行する。一方、被制御機器２０が蓄電池を含まない（ステップＳ２０３，Ｎｏ）場合には、制御部１２０は、情報処理を終了する。
【００７８】
ステップＳ２０４において、選択部１２２は、取得部１２１によって取得された情報（被制御機器２０の情報および計測機器３０の情報）から電池残量の高い蓄電池についての被制御機器２０の情報を選択する（ステップＳ２０４）。電池残量の高い蓄電池は、電池残量の相対的に低い蓄電池に対する電池残量の相対的に高い蓄電池であってもよい。あるいは、電池残量の高い蓄電池は、所定の電池残量よりも高い電池残量の蓄電池（相対的に低い所定の電池残量の蓄電池に対する電池残量の相対的に高い蓄電池）であってもよい。ここで、所定の電池残量は、特に限定されるものではないが、例えば、フル充電（１００％）、フル充電の９０％、８０％、７０％、６０％、または５０％であってもよい。
【００７９】
次に、送信部１２３は、選択部１２２によって選択された情報をサーバ１０へ送信する（ステップＳ２０５）。すなわち、電気使用率が第１の閾値を超えるものである（ステップＳ２０２，Ｙｅｓ）と共に被制御機器２０が蓄電池を含む（ステップＳ２０３，Ｙｅｓ）場合には、送信部１２３は、電池残量の高い蓄電池についての被制御機器２０の情報を選択すると共に選択された情報をサーバ１０へ送信する。なお、被制御機器２０が蓄電池である場合には、被制御機器２０によって消費される電力量に関する情報（計測機器３０の情報）は必要とされない。一方、電気使用率が第１の閾値以下である（ステップＳ２０２，Ｎｏ）かまたは被制御機器２０が蓄電池を含まない（ステップＳ２０３，Ｎｏ）場合には、制御部１２０は、被制御機器２０の情報の選択およびサーバ１０への情報の送信のいずれも実行しない。
【００８０】
このように、選択部１２２は、被制御機器２０に対する電力供給の状況に基づいて、取得部１２１によって取得された情報からサーバ１０に収集される情報を選択する。
【００８１】
それによって、選択部１２２は、取得部１２１によって取得された情報から、被制御機器２０に対する電力供給の状況に有益な情報を、サーバ１０に収集される情報として選択することができる。一方、選択部１２２は、取得部１２１によって取得された情報から、制御機器２０に対する電力供給の状況に有益ではない情報を、サーバ１０に収集される情報から除去することができる。それに応じて、ログ収集装置１００は、サーバ１０に収集される情報の量を低減することができる。よって、ログ収集装置１００は、サーバ１０によって処理される情報の量を低減することができる。
【００８２】
具体的には、取得部１２１は、少なくとも被制御機器２０の動作状態に関する情報として第１の蓄電池の動作状態に関する情報および第１の蓄電池の電池残量よりも少ない電池残量の第２の蓄電池の動作状態に関する情報を取得し、選択部１２２は、被制御機器２０に対する電力供給の状況を示す電気使用率が第１の閾値を超える場合に、取得部１２１によって取得された情報から第１の蓄電池の動作状態に関する情報を選択する。
【００８３】
それによって、選択部１２２は、電気使用率が第１の閾値を超える場合には、相対的に低い電池残量の第２の蓄電池の動作状態に関する情報ではなく、相対的に高い電池残量の第１の蓄電池の動作状態に関する情報をサーバ１０に収集される情報として選択することができる。この場合には、選択部１２２は、相対的に低い電池残量の第２の蓄電池の動作状態に関する情報をサーバ１０に収集される情報から除去することができる。それに応じて、サーバ１０は、相対的に高い電池残量の第１の蓄電池の動作状態に関する情報に基づいて、相対的に高い電池残量の第１の蓄電池を効率的に制御することができる。よって、電気使用率が第１の閾値を超える場合、すなわち、被制御機器２０に対する電力供給が不足する可能性がある場合には、サーバ１０は、相対的に高い電池残量の第１の蓄電池を放電することによって、被制御機器２０に対する電力供給を補うことができる。
【００８４】
（情報処理方法の手順の第３の例）
図４Ｂは、実施形態に係る情報処理方法の手順の第３の例を示すフローチャートである。図４Ｂに示す第３の例においても、図４Ａに示す第２の例と同様に、制御部１２０が、被制御機器２０に対する電力供給の状況、例えば、電気使用率に基づいて、サーバ１０に収集される情報を選択する。図４Ｂに示す第３の例においては、制御部１２０は、電気使用量が第２の閾値未満である場合に、電池残量の低い蓄電池の動作状態に関する情報を選択する。
【００８５】
図４Ｂに示すステップＳ３０１は、図４Ａに示すステップＳ２０１と同様であるため、ステップ３０１の説明を省略する。次に、選択部１２２は、取得部１２１によって取得された電気使用率が第２の閾値未満であるか否かについて判定する（ステップＳ３０２）。第２の閾値は、電気使用率についての予め定義された閾値であるが、特に限定されるものではない。第２の閾値は、例えば、５０％、４０％、または３０％であってもよい。
【００８６】
ステップＳ３０２において、電気使用率が第２の閾値未満である（ステップＳ３０２，Ｙｅｓ）場合には、制御部１２０は、ステップＳ３０３に移行する。一方、電気使用率が第２の閾値以上である（ステップＳ３０２，Ｎｏ）場合には、制御部１２０は、情報処理を終了する。
【００８７】
ステップＳ３０３において、被制御機器２０が蓄電池を含む（ステップＳ３０３，Ｙｅｓ）場合には、制御部１２０は、ステップＳ３０４に移行する。一方、被制御機器２０が蓄電池を含まない（ステップＳ３０３，Ｎｏ）場合には、制御部１２０は、情報処理を終了する。
【００８８】
ステップＳ３０４において、選択部１２２は、取得部１２１によって取得された情報（被制御機器２０の情報および計測機器３０の情報）から電池残量の低い蓄電池についての被制御機器２０の情報を選択する（ステップＳ３０４）。電池残量の低い蓄電池は、電池残量の相対的に高い蓄電池に対する電池残量の相対的に低い蓄電池であってもよい。あるいは、電池残量の低い蓄電池は、所定の電池残量よりも低い電池残量の蓄電池（相対的に高い所定の電池残量の蓄電池に対する電池残量の相対的に低い蓄電池）であってもよい。ここで、所定の電池残量は、特に限定されるものではないが、例えば、フル充電の５０％、４０％、３０％、２０％、１０％、または完全放電（０％）であってもよい。
【００８９】
次に、送信部１２３は、選択部１２２によって選択された情報をサーバ１０へ送信する（ステップＳ３０５）。すなわち、電気使用率が第２の閾値未満である（ステップＳ３０２，Ｙｅｓ）と共に被制御機器２０が蓄電池を含む（ステップＳ３０３，Ｙｅｓ）場合には、送信部１２３は、電池残量の低い蓄電池についての被制御機器２０の情報を選択すると共に選択された情報をサーバ１０へ送信する。一方、電気使用率が第２の閾値以上である（ステップＳ３０２，Ｎｏ）かまたは被制御機器２０が蓄電池を含まない（ステップＳ３０３，Ｎｏ）場合には、制御部１２０は、被制御機器２０の情報の選択およびサーバ１０への情報の送信のいずれも実行しない。
【００９０】
このように、選択部１２２は、被制御機器２０に対する電力供給の状況に基づいて、取得部１２１によって取得された情報からサーバ１０に収集される情報を選択する。
【００９１】
具体的には、取得部１２１は、少なくとも被制御機器２０の動作状態に関する情報として第１の蓄電池の動作状態に関する情報および第１の蓄電池の電池残量よりも少ない電池残量の第２の蓄電池の動作状態に関する情報を取得し、選択部１２２は、被制御機器２０に対する電力供給の状況を示す電気使用率が第２の閾値未満である場合に、取得部１２１によって取得された情報から第２の蓄電池の動作状態に関する情報を選択する。
【００９２】
それによって、選択部１２２は、電気使用率が第２の閾値未満である場合には、相対的に高い電池残量の第１の蓄電池の動作状態に関する情報ではなく、相対的に低い電池残量の第２の蓄電池の動作状態に関する情報をサーバ１０に収集される情報として選択することができる。この場合には、選択部１２２は、相対的に高い電池残量の第１の蓄電池の動作状態に関する情報をサーバ１０に収集される情報から除去することができる。それに応じて、サーバ１０は、相対的に低い電池残量の第２の蓄電池の動作状態に関する情報に基づいて、相対的に低い電池残量の第２の蓄電池を効率的に制御することができる。よって、電気使用率が第２の閾値未満である場合、すなわち、被制御機器２０に対する電力供給に余裕がある可能性がある場合には、サーバ１０は、相対的に低い電池残量の第２の蓄電池を充電することによって、被制御機器２０に対する電力供給の余剰を低減することができる。
【００９３】
（情報処理方法の手順の第４の例）
図５Ａは、実施形態に係る情報処理方法の手順の第４の例を示すフローチャートである。図５Ａに示す第４の例においては、制御部１２０が、被制御機器２０に対する電力供給の状況に基づいて、被制御機器２０の動作状態に関する情報（被制御機器２０の情報）および被制御機器２０によって消費される電力量に関する情報（計測機器３０の情報）の少なくとも一方を取得する時間間隔を調整する。被制御機器２０に対する電力供給の状況を示す情報として、例えば、被制御機器２０に対する電力供給がなされる時間を使用することができる。図５Ａに示す第４の例においては、制御部１２０は、被制御機器２０に対する電力供給がなされる時間が第１の時間帯に含まれる場合に、被制御機器２０の情報および計測機器３０の情報を取得する時間間隔を減少させる。
【００９４】
図５Ａに示すように、まず、取得部１２１は、被制御機器２０に対する電力供給がなされる時間を取得する（ステップ４０１）。
【００９５】
次に、取得部１２１は、取得部１２１によって取得された被制御機器２０に対する電力供給がなされる時間が第１の時間帯に含まれるか否かについて判定する（ステップＳ４０２）。第１の時間帯は、被制御機器２０の電力消費または被制御機器２０に対する電力供給が大きくまたは頻繁に変動する可能性がある所定の時間帯である。例えば、第１の時間帯においては、天候の変化等によって、被制御機器２０の消費電力量の大きなまたは頻繁な変動が生じる可能性がある。第１の時間帯は、例えば、電力消費のピーク時間帯である１３時から１６時までの時間帯であってもよい。
【００９６】
ステップＳ４０２において、被制御機器２０に対する電力供給がなされる時間が第１の時間帯に含まれる（ステップＳ４０２，Ｙｅｓ）場合には、制御部１２０は、ステップＳ４０３に移行する。一方、被制御機器２０に対する電力供給がなされる時間が第１の時間帯に含まれない（ステップＳ４０２，Ｎｏ）場合には、制御部１２０は、ステップＳ４０４に移行する。
【００９７】
ステップＳ４０３において、取得部１２１は、被制御機器２０の動作状態に関する情報（被制御機器２０の情報）および被制御機器２０によって消費される電力量に関する情報（計測機器３０の情報）を取得する時間間隔を減少させる（ステップＳ４０３）。その後、制御部１２０は、ステップ４０４に移行する。
【００９８】
次に、取得部１２１は、被制御機器２０の情報および計測機器３０の情報を取得する（ステップＳ４０４）。
【００９９】
すなわち、被制御機器２０に対する電力供給がなされる時間が第１の時間帯に含まれる（ステップＳ４０２，Ｙｅｓ）場合には、取得部１２１は、被制御機器２０の情報および計測機器３０の情報を取得する時間間隔を減少させると共に減少させた時間間隔で被制御機器２０の情報および計測機器３０の情報を取得する。一方、被制御機器２０に対する電力供給がなされる時間が第１の時間帯に含まれない（ステップＳ４０２，Ｎｏ）場合には、取得部１２１は、被制御機器２０の情報および計測機器３０の情報を取得する時間間隔を減少させることなく、被制御機器２０の情報および計測機器３０の情報を取得する。
【０１００】
次に、選択部１２２は、取得部１２１によって取得された情報からサーバ１０に収集される情報を選択する（ステップＳ４０５）。次に、送信部１２３は、選択部１２２によって選択された情報をサーバ１０へ送信する（ステップＳ４０６）。
【０１０１】
このように、取得部１２１は、被制御機器２０に対する電力供給の状況に基づいて、被制御機器２０の動作状態に関する情報および被制御機器２０によって消費される電力量に関する情報の少なくとも一方を取得する時間間隔を調整する。
【０１０２】
それによって、取得部１２１は、被制御機器２０に対する電力供給の状況に応じて、単位時間あたりの取得部１２１によって取得される情報の量を調整することができる。それに応じて、選択部１２２は、単位時間あたりの選択部１２２によって選択される情報の量を調整することができる。また、送信部１２３は、単位時間あたりのサーバ１０へ送信する情報の量を調整することができる。その結果、被制御機器２０に対する電力供給の状況に応じて、ログ収集装置１００は、単位時間あたりのサーバ１０に収集される情報の量、すなわち、サーバ１０に収集される情報の頻度を調整することができる。それに応じて、ログ収集装置１００は、単位時間あたりにサーバ１０によって処理される情報の量を調整することができる。また、サーバ１０は、被制御機器２０に対する電力供給の状況に応じて適切に調整された頻度でサーバ１０に収集される情報に基づいて、被制御機器２０を適切に制御することができる。
【０１０３】
具体的には、取得部１２１は、被制御機器２０に対する電力供給が第１の時間帯になされる場合に、被制御機器２０の動作状態に関する情報および被制御機器２０によって消費される電力量に関する情報の少なくとも一方を取得する時間間隔を減少させる。
【０１０４】
それによって、取得部１２１は、被制御機器２０に対する電力供給が第１の時間帯になされる場合、すなわち、被制御機器２０に対する電力供給が大きくまたは頻繁に変動する可能性がある場合に、単位時間あたりの取得部１２１によって取得される情報の量を増加させることができる。それに応じて、選択部１２２は、単位時間あたりの選択部１２２によって選択される情報の量を増加させることができる。また、送信部１２３は、単位時間あたりのサーバ１０へ送信する情報の量を増加させることができる。その結果、被制御機器２０に対する電力供給が大きくまたは頻繁に変動する可能性がある場合に、ログ収集装置１００は、単位時間あたりのサーバ１０に収集される情報の量、すなわち、サーバ１０に収集される情報の頻度を増加させることができる。また、サーバ１０は、被制御機器２０に対する電力供給が大きくまたは頻繁に変動する可能性がある場合に、増加した頻度でサーバ１０に収集される情報に基づいて、被制御機器２０を増加した頻度で制御することができる。
【０１０５】
（情報処理方法の手順の第５の例）
図５Ｂは、実施形態に係る情報処理方法の手順の第５の例を示すフローチャートである。図５Ｂに示す第５の例においても、図５Ａに示す第４の例と同様に、制御部１２０が、被制御機器２０に対する電力供給の状況に基づいて、被制御機器２０の動作状態に関する情報（被制御機器２０の情報）および被制御機器２０によって消費される電力量に関する情報（計測機器３０の情報）の少なくとも一方を取得する時間間隔を調整する。被制御機器２０に対する電力供給の状況を示す情報として、例えば、被制御機器２０に対する電力供給がなされる時間を使用することができる。図５Ｂに示す第５の例においては、制御部１２０は、被制御機器２０に対する電力供給がなされる時間が第２の時間帯に含まれる場合に、被制御機器２０の情報および計測機器３０の情報を取得する時間間隔を増加させる。
【０１０６】
図５Ｂに示すステップＳ５０１は、図５Ａに示すステップＳ４０１と同様であるため、ステップ５０１の説明を省略する。
【０１０７】
次に、取得部１２１は、取得部１２１によって取得された被制御機器２０に対する電力供給がなされる時間が第２の時間帯に含まれるか否かについて判定する（ステップＳ５０２）。第２の時間帯は、被制御機器２０の電力消費または被制御機器２０に対する電力供給が、概ね一定である、すなわち、大きくまたは頻繁に変動しないと予想される所定の時間帯である。第２の時間帯は、例えば、夜間の時間帯である２２時から６時までの時間帯であってもよい。
【０１０８】
ステップＳ５０２において、被制御機器２０に対する電力供給がなされる時間が第２の時間帯に含まれる（ステップＳ５０２，Ｙｅｓ）場合には、制御部１２０は、ステップＳ５０３に移行する。一方、被制御機器２０に対する電力供給がなされる時間が第２の時間帯に含まれない（ステップＳ５０２，Ｎｏ）場合には、制御部１２０は、ステップＳ５０４に移行する。
【０１０９】
ステップＳ５０３において、取得部１２１は、被制御機器２０の動作状態に関する情報（被制御機器２０の情報）および被制御機器２０によって消費される電力量に関する情報（計測機器３０の情報）を取得する時間間隔を増加させる（ステップＳ５０３）。その後、制御部１２０は、ステップ５０４に移行する。
【０１１０】
次に、取得部１２１は、被制御機器２０の情報および計測機器３０の情報を取得する（ステップＳ５０４）。
【０１１１】
すなわち、被制御機器２０に対する電力供給がなされる時間が第２の時間帯に含まれる（ステップＳ５０２，Ｙｅｓ）場合には、取得部１２１は、被制御機器２０の情報および計測機器３０の情報を取得する時間間隔を増加させると共に増加させた時間間隔で被制御機器２０の情報および計測機器３０の情報を取得する。一方、被制御機器２０に対する電力供給がなされる時間が第２の時間帯に含まれない（ステップＳ５０２，Ｎｏ）場合には、取得部１２１は、被制御機器２０の情報および計測機器３０の情報を取得する時間間隔を増加させることなく、被制御機器２０の情報および計測機器３０の情報を取得する。
【０１１２】
次に、選択部１２２は、取得部１２１によって取得された情報からサーバ１０に収集される情報を選択する（ステップＳ５０５）。次に、送信部１２３は、選択部１２２によって選択された情報をサーバ１０へ送信する（ステップＳ５０６）。
【０１１３】
このように、取得部１２１は、被制御機器２０に対する電力供給の状況に基づいて、被制御機器２０の動作状態に関する情報および被制御機器２０によって消費される電力量に関する情報の少なくとも一方を取得する時間間隔を調整する。
【０１１４】
具体的には、取得部１２１は、被制御機器２０に対する電力供給が第２の時間帯になされる場合に、被制御機器２０の動作状態に関する情報および被制御機器２０によって消費される電力量に関する情報の少なくとも一方を取得する時間間隔を増加させる。
【０１１５】
それによって、取得部１２１は、被制御機器２０に対する電力供給が第２の時間帯になされる場合、すなわち、被制御機器２０に対する電力供給が概ね一定であると予想される場合に、単位時間あたりの取得部１２１によって取得される情報の量を減少させることができる。それに応じて、選択部１２２は、単位時間あたりの選択部１２２によって選択される情報の量を減少させることができる。また、送信部１２３は、単位時間あたりのサーバ１０へ送信する情報の量を減少させることができる。その結果、被制御機器２０に対する電力供給が概ね一定であると予想される場合に、ログ収集装置１００は、単位時間あたりのサーバ１０に収集される情報の量、すなわち、サーバ１０に収集される情報の頻度を減少させることができる。また、サーバ１０は、被制御機器２０に対する電力供給が概ね一定であると予想される場合に、単位時間あたりにサーバ１０によって処理される情報の量を減少させることができる。それに応じて、ログ収集装置１００は、被制御機器２０に関する情報を処理するサーバ１０の負荷を低減することができる。
【０１１６】
（情報処理方法の手順の第６の例）
図６Ａは、実施形態に係る情報処理方法の手順の第６の例を示すフローチャートである。図６Ａに示す第６の例においては、制御部１２０が、被制御機器２０に対する電力供給の状況に基づいて、選択された情報をサーバ１０へ送信する時間間隔を調整する。被制御機器２０に対する電力供給の状況を示す情報として、例えば、被制御機器２０に対する電力供給がなされる時間を使用することができる。図６Ａに示す第６の例においては、制御部１２０は、被制御機器２０に対する電力供給がなされる時間が第１の時間帯に含まれる場合に、選択部１２２によって選択された情報をサーバ１０へ送信する時間間隔を減少させる。
【０１１７】
図６Ａに示すように、まず、取得部１２１は、被制御機器２０に対する電力供給がなされる時間、被制御機器２０の動作状態に関する情報（被制御機器２０の情報）および被制御機器２０によって消費される電力量に関する情報（計測機器３０の情報）を取得する（ステップ６０１）。次に、選択部１２２は、取得部１２１によって取得された情報からサーバ１０に収集される情報を選択する（ステップＳ６０２）。
【０１１８】
次に、送信部１２３は、取得部１２１によって取得された被制御機器２０に対する電力供給がなされる時間が第１の時間帯に含まれるか否かについて判定する（ステップＳ６０３）。第１の時間帯は、図５Ａに示す第４の例における第１の時間帯と同様に、被制御機器２０の電力消費または被制御機器２０に対する電力供給が大きくまたは頻繁に変動する可能性がある所定の時間帯である。
【０１１９】
ステップＳ６０３において、被制御機器２０に対する電力供給がなされる時間が第１の時間帯に含まれる（ステップＳ６０３，Ｙｅｓ）場合には、制御部１２０は、ステップＳ６０４に移行する。一方、被制御機器２０に対する電力供給がなされる時間が第１の時間帯に含まれない（ステップＳ６０３，Ｎｏ）場合には、制御部１２０は、ステップＳ６０５に移行する。
【０１２０】
ステップＳ６０４において、送信部１２３は、選択部１２２によって選択された情報をサーバ１０へ送信する時間間隔を減少させる（ステップＳ６０４）。その後、制御部１２０は、ステップ６０５に移行する。
【０１２１】
次に、送信部１２３は、選択部１２２によって選択された情報をサーバ１０へ送信する（ステップＳ６０５）。
【０１２２】
すなわち、被制御機器２０に対する電力供給がなされる時間が第１の時間帯に含まれる（ステップＳ６０３，Ｙｅｓ）場合には、送信部１２３は、選択部１２２によって選択された情報をサーバ１０へ送信する時間間隔を減少させると共に減少させた時間間隔で選択部１２２によって選択された情報をサーバ１０へ送信する。一方、被制御機器２０に対する電力供給がなされる時間が第１の時間帯に含まれない（ステップＳ６０３，Ｎｏ）場合には、送信部１２３は、選択部１２２によって選択された情報をサーバ１０へ送信する時間間隔を減少させることなく、選択部１２２によって選択された情報をサーバ１０へ送信する。
【０１２３】
このように、送信部１２３は、被制御機器２０に対する電力供給の状況に基づいて、選択部１２２によって選択された情報をサーバ１０へ送信する時間間隔を調整する。
【０１２４】
それによって、送信部１２３は、被制御機器２０に対する電力供給の状況に応じて、単位時間あたりのサーバ１０へ送信する情報の量を調整することができる。その結果、被制御機器２０に対する電力供給の状況に応じて、ログ収集装置１００は、単位時間あたりのサーバ１０に収集される情報の量、すなわち、サーバ１０に収集される情報の頻度を調整することができる。それに応じて、ログ収集装置１００は、単位時間あたりにサーバ１０によって処理される情報の量を調整することができる。また、サーバ１０は、被制御機器２０に対する電力供給の状況に応じて適切に調整された頻度でサーバ１０に収集される情報に基づいて、被制御機器２０を適切に制御することができる。
【０１２５】
具体的には、取得部１２１は、被制御機器２０に対する電力供給が第１の時間帯になされる場合に、選択部１２２によって選択された情報をサーバ１０へ送信する時間間隔を減少させる。
【０１２６】
それによって、送信部１２３は、被制御機器２０に対する電力供給が第１の時間帯になされる場合、すなわち、被制御機器２０に対する電力供給が大きくまたは頻繁に変動する可能性がある場合に、単位時間あたりのサーバ１０へ送信する情報の量を増加させることができる。その結果、被制御機器２０に対する電力供給が大きくまたは頻繁に変動する可能性がある場合に、ログ収集装置１００は、単位時間あたりのサーバ１０に収集される情報の量、すなわち、サーバ１０に収集される情報の頻度を増加させることができる。また、サーバ１０は、被制御機器２０に対する電力供給が大きくまたは頻繁に変動する可能性がある場合に、増加した頻度でサーバ１０に収集される情報に基づいて、被制御機器２０を増加した頻度で制御することができる。
【０１２７】
（情報処理方法の手順の第７の例）
図６Ｂは、実施形態に係る情報処理方法の手順の第７の例を示すフローチャートである。図６Ｂに示す第７の例においても、図６Ａに示す第６の例と同様に、制御部１２０が、被制御機器２０に対する電力供給の状況に基づいて、選択された情報をサーバ１０へ送信する時間間隔を調整する。被制御機器２０に対する電力供給の状況を示す情報として、例えば、被制御機器２０に対する電力供給がなされる時間を使用することができる。図６Ｂに示す第７の例においては、制御部１２０は、被制御機器２０に対する電力供給がなされる時間が第２の時間帯に含まれる場合に、選択部１２２によって選択された情報をサーバ１０へ送信する時間間隔を増加させる。
【０１２８】
図６Ｂに示すステップＳ７０１およびステップＳ７０２は、それぞれ、図６Ａに示すステップＳ６０１およびステップＳ６０２と同様であるため、ステップＳ７０１およびステップＳ７０２の説明を省略する。
【０１２９】
次に、送信部１２３は、取得部１２１によって取得された被制御機器２０に対する電力供給がなされる時間が第２の時間帯に含まれるか否かについて判定する（ステップＳ７０３）。第２の時間帯は、図５Ｂに示す第５の例における第２の時間帯と同様に、被制御機器２０の電力消費または被制御機器２０に対する電力供給が、概ね一定である、すなわち、大きくまたは頻繁に変動しないと予想される所定の時間帯である。
【０１３０】
ステップＳ７０３において、被制御機器２０に対する電力供給がなされる時間が第２の時間帯に含まれる（ステップＳ７０３，Ｙｅｓ）場合には、制御部１２０は、ステップＳ７０４に移行する。一方、被制御機器２０に対する電力供給がなされる時間が第２の時間帯に含まれない（ステップＳ７０３，Ｎｏ）場合には、制御部１２０は、ステップＳ７０５に移行する。
【０１３１】
ステップＳ７０４において、送信部１２３は、選択部１２２によって選択された情報をサーバ１０へ送信する時間間隔を増加させる（ステップＳ７０４）。その後、制御部１２０は、ステップ７０５に移行する。
【０１３２】
次に、送信部１２３は、選択部１２２によって選択された情報をサーバ１０へ送信する（ステップＳ７０５）。
【０１３３】
すなわち、被制御機器２０に対する電力供給がなされる時間が第２の時間帯に含まれる（ステップＳ７０３，Ｙｅｓ）場合には、送信部１２３は、選択部１２２によって選択された情報をサーバ１０へ送信する時間間隔を増加させると共に増加させた時間間隔で選択部１２２によって選択された情報をサーバ１０へ送信する。一方、被制御機器２０に対する電力供給がなされる時間が第２の時間帯に含まれない（ステップＳ７０３，Ｎｏ）場合には、送信部１２３は、選択部１２２によって選択された情報をサーバ１０へ送信する時間間隔を増加させることなく、選択部１２２によって選択された情報をサーバ１０へ送信する。
【０１３４】
このように、送信部１２３は、被制御機器２０に対する電力供給の状況に基づいて、選択部１２２によって選択された情報をサーバ１０へ送信する時間間隔を調整する。
【０１３５】
具体的には、送信部１２３は、被制御機器２０に対する電力供給が第２の時間帯になされる場合に、選択部１２２によって選択された情報をサーバ１０へ送信する時間間隔を増加させる。
【０１３６】
それによって、送信部１２３は、被制御機器２０に対する電力供給が第２の時間帯になされる場合、すなわち、被制御機器２０に対する電力供給が概ね一定であると予想される場合に、単位時間あたりのサーバ１０へ送信する情報の量を減少させることができる。その結果、被制御機器２０に対する電力供給が概ね一定であると予想される場合に、ログ収集装置１００は、単位時間あたりのサーバ１０に収集される情報の量、すなわち、サーバ１０に収集される情報の頻度を減少させることができる。また、サーバ１０は、被制御機器２０に対する電力供給が概ね一定であると予想される場合に、単位時間あたりにサーバ１０によって処理される情報の量を減少させることができる。それに応じて、ログ収集装置１００は、被制御機器２０に関する情報を処理するサーバ１０の負荷を低減することができる。
【０１３７】
（情報処理方法の手順の第８の例）
図７は、実施形態に係る情報処理方法の手順の第８の例を示すフローチャートである。図７に示す第８の例においては、制御部１２０が、被制御機器２０の最大消費電力に基づいて、取得された情報からサーバ１０に収集される情報を選択する。被制御機器２０の最大消費電力は、被制御機器２０ごとに定められた被制御機器２０の消費電力の最大値である。図７に示す第８の例においては、制御部１２０は、被制御機器２０の最大消費電力が第３の閾値を超える場合に、取得された情報からサーバ１０に収集される情報を選択する。
【０１３８】
図７に示すように、まず、取得部１２１は、被制御機器２０の最大消費電力、被制御機器２０の動作状態に関する情報（被制御機器２０の情報）および被制御機器２０によって消費される電力量に関する情報（計測機器３０の情報）を取得する（ステップ８０１）。
【０１３９】
次に、取得部１２１は、取得部１２１によって取得された被制御機器２０の最大消費電力が第３の閾値を超えるものであるか否かについて判定する（ステップＳ８０２）。第３の閾値は、被制御機器２０の最大消費電力についての予め定義された閾値であるが、特に限定されるものではない。第３の閾値は、例えば、１００Ｗ、５００Ｗ、または１ｋＷであってもよい。
【０１４０】
ステップＳ８０２において、被制御機器２０の最大消費電力が第３の閾値を超えるものである（ステップＳ８０２，Ｙｅｓ）場合には、制御部１２０は、ステップＳ８０３に移行する。一方、被制御機器２０の最大消費電力が第３の閾値以下である（ステップＳ８０２，Ｎｏ）場合には、制御部１２０は、情報処理を終了する。
【０１４１】
ステップＳ８０３において、選択部１２２は、取得部１２１によって取得された情報からサーバ１０に収集される情報を選択する（ステップＳ８０３）。次に、送信部１２３は、選択部１２２によって選択された情報をサーバ１０へ送信する（ステップＳ８０４）。
【０１４２】
すなわち、被制御機器２０の最大消費電力が第３の閾値を超えるものである（ステップＳ８０２，Ｙｅｓ）場合には、選択部１２２は、取得部１２１によって取得された情報からサーバ１０に収集される情報を選択すると共に、送信部１２３は、選択部１２２によって選択された情報をサーバ１０へ送信する。一方、被制御機器２０の最大消費電力が第３の閾値以下である（ステップＳ８０２，Ｎｏ）場合には、制御部１２０は、サーバ１０に収集される情報の選択およびサーバ１０への情報の送信のいずれも実行しない。
【０１４３】
このように、選択部１２２は、被制御機器２０の最大消費電力に基づいて、取得部１２１によって取得された情報からサーバ１０に収集される情報を選択する。
【０１４４】
それによって、選択部１２２は、被制御機器２０の最大消費電力に応じて、すなわち、被制御機器２０の種類に応じて、取得部１２１によって取得された情報をサーバ１０に収集される情報として選択するか否かを判定することができる。それに応じて、選択部１２２は、選択部１２２によって選択される情報の量を調整することができる。また、送信部１２３は、サーバ１０へ送信する情報の量を調整することができる。その結果、被制御機器２０の最大消費電力に応じて、ログ収集装置１００は、サーバ１０に収集される情報の量を調整することができる。それに応じて、ログ収集装置１００は、サーバ１０によって処理される情報の量を調整することができる。また、サーバ１０は、被制御機器２０の最大消費電力に応じて適切に調整された量の情報に基づいて、被制御機器２０を適切に制御することができる。
【０１４５】
具体的には、選択部１２２は、被制御機器２０の最大消費電力が第３の閾値を超える場合に、取得部１２１によって取得された情報からサーバ１０に収集される情報を選択する。
【０１４６】
それによって、選択部１２２は、被制御機器２０の最大消費電力が第３の閾値を超える場合に、すなわち、最大消費電力が第３の閾値を超える被制御機器２０について、取得部１２１によって取得された情報をサーバ１０に収集される情報として選択する。それに応じて、送信部１２３は、最大消費電力が第３の閾値を超える被制御機器２０について、選択部１２２によって選択された情報をサーバ１０へ送信する。その結果、サーバ１０は、最大消費電力が第３の閾値を超える被制御機器２０について、選択部１２２からサーバ１０へ送信された情報を処理する。すなわち、サーバ１０は、最大消費電力が第３の閾値を超える被制御機器２０を制御する。このように、サーバ１０は、最大消費電力が第３の閾値を超える被制御機器２０を効率的に制御することができる。
【０１４７】
一方、選択部１２２は、被制御機器２０の最大消費電力が第３の閾値以下である場合に、すなわち、最大消費電力が第３の閾値以下である被制御機器２０について、取得部１２１によって取得された情報をサーバ１０に収集される情報として選択しない。それに応じて、サーバ１０は、最大消費電力が第３の閾値以下である被制御機器２０を制御しない。その結果、サーバ１０は、最大消費電力が第３の閾値以下である被制御機器２０の制御を除去することができる。このように、ログ収集装置１００は、サーバ１０によって処理される情報の量を減少させることができる。それに応じて、ログ収集装置１００は、被制御機器２０に関する情報を処理するサーバ１０の負荷を低減することができる。
【０１４８】
（情報処理方法の手順の第９の例）
選択部１２２は、サーバ１０に応じて、取得部１２１によって取得された情報からサーバ１０に収集される情報を選択するようにしてもよい。具体的には、選択部１２２は、サーバ１０によって制御される被制御機器２０の種類に応じて、取得部１２１によって取得された情報からサーバ１０に収集される情報を選択するようにしてもよい。例えば、第１のサーバが第１の被制御機器を制御すると共に第１のサーバと異なる第２のサーバが第１の被制御機器と異なる第２の被制御機器を制御する場合に、選択部１２２は、取得部１２１によって取得された情報から、第１のサーバに収集される情報および第２のサーバに収集される情報を選択する。送信部１２３は、第１のサーバに収集される情報および第２のサーバに収集される情報をそれぞれ第１のサーバおよび第２のサーバへ送信する。その結果、第１のサーバは、第１のサーバへ送信された情報を処理すると共に、第２のサーバは、第２のサーバへ送信された情報を処理する。すなわち、第１のサーバは、第１の被制御機器を制御すると共に、第２のサーバは、第２の被制御機器を制御する。このように、第１のサーバは、第１の被制御機器を効率的に制御することができると共に第２のサーバは、第２の被制御機器を効率的に制御することができる。
【０１４９】
（ハードウェア構成）
上述してきた実施形態に係る情報処理装置としてのログ収集装置１００は、例えば図８に示すような構成のコンピュータ１０００によって実現される。図８は、実施形態に係る情報処理装置としてのログ収集装置１００の機能を実現するコンピュータの一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１５０】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１５１】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１５２】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１５３】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１５４】
例えば、コンピュータ１０００がログ収集装置１００として機能する場合、コンピュータ１０００のＣＰＵ１１００は、ＲＡＭ１２００上にロードされたプログラムを実行することにより、制御部１２０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１５５】
（変形例）
上記の実施形態においては、ログ収集装置１００は、被制御機器２０および計測機器３０と共に需要家の宅内に設けられるが、ログ収集装置１００は、需要家の外部に設けられてもよい。
【０１５６】
上記の実施形態においては、被制御機器２０および計測機器３０は、別個に形成された機器であるが、被制御機器２０および計測機器３０は、一つの機器として一体的に形成されたものであってもよい。
【０１５７】
上記の実施形態においては、サーバ１０およびログ収集装置１００は、別個に形成された装置であるが、サーバ１０およびログ収集装置１００は、一つの装置として一体的に形成されたものであってもよい。この場合には、ログ収集装置１００は、サーバ１０のモジュールとして設けられると共に、選択部１２２によって選択された情報をサーバ１０へ送信する送信部１２３を省略することができる。
【０１５８】
上記の実施形態においては、被制御機器２０および計測機器３０の両方が需要家に設けられるが、被制御機器２０および計測機器３０の一方が需要家に設けられてもよい。
【０１５９】
上記の実施形態においては、一つのログ収集装置１００に対して一つのサーバ１０が設けられるが、一つのログ収集装置１００に対して複数のサーバ１０が設けられてもよい。上記の実施形態においては、一つのログ収集装置１００に対して一つの被制御機器２０が設けられるが、一つのログ収集装置１００に対して複数の被制御機器２０が設けられてもよい。上記の実施形態においては、一つのログ収集装置１００に対して一つの計測装置３０が設けられるが、一つのログ収集装置１００に対して複数の計測装置３０が設けられてもよい。
【０１６０】
上記の実施形態においては、ログ収集装置１００は、被制御機器２０の動作状態に関する情報に基づいて、取得された情報からサーバ１０に収集される情報を選択するが、ログ収集装置１００は、例えば、被制御機器２０を利用する需要家の地域に関する情報に基づいて、取得された情報からサーバ１０に収集される情報を選択するようにしてもよい。
【０１６１】
上記の実施形態においては、第１の閾値、第２の閾値、または第３の閾値は、予め定義された値（所定の値または一定の値）であるが、第１の閾値、第２の閾値、または第３の閾値は、被制御機器２０に対する電力供給の状況に応じて、変動するものであってもよい。
【０１６２】
上記の実施形態においては、ログ収集装置１００は、取得部１２１が、被制御機器２０の動作状態に関する情報および被制御機器２０によって消費される電力量に関する情報の少なくとも一方を取得すると共に、選択部１２２が、取得部１２１によって取得された情報からサーバ１０に収集される情報を選択するように構成される。しかしながら、ログ収集装置１００は、選択部１２２が、被制御機器２０の動作状態に関する情報および被制御機器２０によって消費される電力量に関する情報の少なくとも一方の情報であって、サーバ１０に収集される情報を選択すると共に、取得部１２１が、選択部１２２によって選択された情報を取得するように構成されてもよい。
【０１６３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１６４】
１    情報処理システム
１０    サーバ
２０    被制御機器
３０    計測機器
１００    ログ収集装置（情報処理装置）
１１０    通信部
１２０    制御部
１２１    取得部
１２２    選択部
１２３    送信部
１３０    記憶部
【図１】
2019062616.tif 000003
【図２】
2019062616.tif 000004
【図３】
2019062616.tif 000005
【図４Ａ】
2019062616.tif 000006
【図４Ｂ】
2019062616.tif 000007
【図５Ａ】
2019062616.tif 000008
【図５Ｂ】
2019062616.tif 000009
【図６Ａ】
2019062616.tif 000010
【図６Ｂ】
2019062616.tif 000011
【図７】
2019062616.tif 000012
【図８】
2019062616.tif 000013